(57)【要約】【課題】接続された複数の映像出力装置の選択を容易に行うことができるテレビジョン受像機を提供すること。【解決手段】選択操作キーとテレビジョン放送のチャンネルとが対応付けられた第一の選択対応情報と，前記選択操作キーと当該テレビジョン受像機に接続された複数の映像出力装置とが対応付けられた第二の選択対応情報とを記憶させておき，切換キーの操作により前記第一の選択対応情報から前記第二の選択対応情報に切り換えられた場合に，該第二の選択対応情報を表示するように構成される。そして，前記選択操作キーが押下されると該選択操作キーと前記第二の選択対応情報とに基づいて該選択操作キーに対応する表示内容が表示される。【選択図】図５
2007300584.tif 000002
【特許請求の範囲】
【請求項１】
各種の映像を出力する映像出力手段と，複数のチャンネルを含むテレビジョン放送を受信するテレビジョン放送受信手段と，当該テレビジョン受像機と通信可能に接続された複数の映像出力装置から映像を入力するための外部映像入力手段と，前記映像出力手段に出力させる出力内容を選択するための複数の選択操作キーが設けられた遠隔操作手段と，前記選択操作キーと前記出力内容とを対応付ける選択対応情報を記憶する選択対応情報記憶手段と，前記遠隔操作手段において操作された前記選択操作キーと前記選択対応情報記憶手段に記憶された前記選択対応情報に基づいて前記映像出力手段に出力させる出力内容の選択処理を実行する選択処理手段と，を備えてなるテレビジョン受像機であって，
前記選択対応情報記憶手段が，前記選択操作キーと前記テレビジョン放送のチャンネルとが対応付けられた第一の選択対応情報と，前記選択操作キーと前記映像出力装置とが対応付けられた第二の選択対応情報と，を記憶してなり，
前記遠隔操作手段に，前記選択処理手段による前記選択処理に用いられる前記選択対応情報を前記第一の選択対応情報及び前記第二の選択対応情報のいずれか一方に切り換えるための切換キーが設けられてなり，
前記切換キーの操作により，前記選択処理手段による前記選択処理に用いられる前記選択対応情報が前記第一の選択対応情報から前記第二の選択対応情報に切り換えられた場合に，該第二の選択対応情報を表示する選択対応情報表示手段を備えてなることを特徴とするテレビジョン受像機。
【請求項２】
前記外部映像入力手段が，前記映像出力装置を識別するための識別情報を取得する識別情報取得手段を含んでなる請求項１に記載のテレビジョン受像機。
【請求項３】
前記選択対応情報表示手段が，前記識別情報取得手段により取得された前記識別情報を含む前記第二の選択対応情報を表示するものである請求項２に記載のテレビジョン受像機。
【請求項４】
前記外部映像入力手段が，直列に接続された複数の映像出力装置から映像を入力するためのインターフェースを含んでなる請求項２又は３のいずれかに記載のテレビジョン受像機。
【請求項５】
前記インターフェースがＩＥＥＥ１３９４規格に準拠したものである請求項４に記載のテレビジョン受像機。
【請求項６】
前記第二の選択対応情報を設定する選択対応情報設定手段を更に備えてなる請求項１〜５のいずれかに記載のテレビジョン受像機。
【請求項７】
前記選択対応情報設定手段が，前記選択操作キーと当該テレビジョン受像機に接続中或いは過去に接続された前記映像出力装置とを自動的に対応付けて登録する自動登録手段を含んでなる請求項６に記載のテレビジョン受像機。
【請求項８】
前記自動登録手段が，対応する出力内容が登録されていない前記選択操作キーと当該テレビジョン受像機に接続中或いは過去に接続された前記映像出力装置とを自動的に対応付けて登録するものである請求項７に記載のテレビジョン受像機。
【請求項９】
前記自動登録手段が，対応する出力内容が登録されていない前記選択操作キーと当該テレビジョン受像機に接続中の前記映像出力装置とを対応付けて登録した後，対応する出力内容が設定されていない前記選択操作キーが存在する場合に，該選択操作キーと当該テレビジョン受像機に過去に接続された前記映像出力装置とを対応づけて登録するものである請求項８に記載のテレビジョン受像機。
【発明の詳細な説明】
【技術分野】
【０００１】
本発明は，テレビジョン放送を受信して表示するテレビジョン受像機に関し，特に，当該テレビジョン受像機に映像を出力する複数の映像出力装置が接続可能なテレビジョン受像機に関するものである。
【背景技術】
【０００２】
一般に，テレビジョン放送を受信して表示するテレビジョン受像機では，リモコンに設けられた複数のチャンネル選択キーのいずれかがユーザによって操作されることにより，該チャンネル選択キーに対応する既定の前記テレビジョン放送のチャンネルが選択されて表示される。
また，前記テレビジョン受像機に映像を出力するＤＶＤレコーダーやハードディスクレコーダーなどの映像出力装置が接続されている場合には，リモコンに設けられた入力切換キーがユーザによって操作されることにより，該映像出力装置から入力される映像が表示される。このとき，前記テレビジョン受像機に複数の映像出力装置が接続されている場合には，前記入力切換キーが操作される度に前記複数の映像出力装置が順に選択される。
一方，特許文献１には，テレビジョン受像機に接続された映像出力装置の一覧を表示し，その表示画面上でカーソルを移動させて映像出力装置を選択する構成が示されている。さらに，前記特許文献１では，テレビジョン受像機の外部端子に直接接続された映像出力装置と，デイジーチェーン方式で接続されたＩＥＥＥ１３９４規格などに準拠する複数の映像出力装置とを容易に区別することができるように表示することが提案されている。
【特許文献１】特開２００１−２６８４５７号公報
【発明の開示】
【発明が解決しようとする課題】
【０００３】
しかしながら，従来，テレビジョン受像機に接続された複数の映像出力装置のいずれかを選択するためには，前記入力切換キーを複数回操作することや，前記特許文献１のように表示画面上でカーソルを移動させて選択するという操作が必要となり，前記のように複数のチャンネル選択キーのいずれかを操作することでテレビジョン放送のチャンネルを選択する場合に比べて操作回数が多く操作性が悪いという問題がある。
従って，本発明は上記事情に鑑みてなされたものであり，その目的とするところは，接続された複数の映像出力装置の選択を容易に行うことができるテレビジョン受像機を提供することにある。
【課題を解決するための手段】
【０００４】
上記目的を達成するために本発明は，各種の映像を出力する映像出力手段と，複数のチャンネルを含むテレビジョン放送を受信するテレビジョン放送受信手段と，当該テレビジョン受像機と通信可能に接続された複数の映像出力装置から映像を入力するための外部映像入力手段と，前記映像出力手段に出力させる出力内容を選択するための複数の選択操作キーが設けられた遠隔操作手段と，前記選択操作キーと前記出力内容とを対応付ける選択対応情報を記憶する選択対応情報記憶手段と，前記遠隔操作手段において操作された前記選択操作キーと前記選択対応情報記憶手段に記憶された前記選択対応情報に基づいて前記映像出力手段に出力させる出力内容の選択処理を実行する選択処理手段と，を備えてなるテレビジョン受像機に適用されるものであって，前記選択対応情報記憶手段に，前記選択操作キーと前記テレビジョン放送のチャンネルとが対応付けられた第一の選択対応情報と，前記選択操作キーと前記映像出力装置とが対応付けられた第二の選択対応情報と，を記憶させ，前記遠隔操作手段に，前記選択処理手段による前記選択処理に用いられる前記選択対応情報を前記第一の選択対応情報及び前記第二の選択対応情報のいずれか一方に切り換えるための切換キーを設けておき，前記切換キーの操作により，前記選択処理手段による前記選択処理に用いられる前記選択対応情報が前記第一の選択対応情報から前記第二の選択対応情報に切り換えられた場合に，該第二の選択対応情報を表示するように構成される。
このように構成された前記テレビジョン受像機では，前記切換キーを操作することにより表示される前記第二の選択対応情報を参照し，所望の前記映像出力装置に対応する前記選択操作キーを操作することにより，その所望の映像出力装置を容易に選択することが可能である。したがって，前記テレビジョン受像機に接続された複数の映像出力装置の選択にかかる操作回数が低減される。
【０００５】
さらに，前記外部映像入力手段が，前記映像出力装置を識別するための識別情報を取得することが可能であることが望ましい。この場合には，前記切換キーの操作により，前記選択処理手段による前記選択処理に用いられる前記選択対応情報が前記第一の選択対応情報から前記第二の選択対応情報に切り換えられた場合に，前記識別情報取得手段により取得された前記識別情報を含む前記第二の選択対応情報を表示することで，ユーザは，前記映像出力手段の識別情報を参照して，容易に所望の前記映像出力手段を認識することができる。
ところで，前記外部映像入力手段は，直列に接続された複数の映像出力装置から映像を入力するためのインターフェース，例えばＩＥＥＥ１３９４規格に準拠したインターフェースを含んで構成される。
【０００６】
また，前記テレビジョン受像機には，前記第二の選択対応情報を設定する選択対応情報設定手段を設けておくことが望ましい。
特に，前記選択操作キーと当該テレビジョン受像機に接続中或いは過去に接続された前記映像出力装置とを自動的に対応付けて登録すれば，ユーザによる登録操作の手間を省くことができる。
但し，自動登録の際には，対応する出力内容が登録されていない前記選択操作キーと当該テレビジョン受像機に接続中或いは過去に接続された前記映像出力装置とを自動的に対応付けて登録することが望ましい。これにより，前記第二の選択対応情報が自動的に上書きされることを防止することができる。
また，過去に接続された前記映像出力装置を前記第二の選択対応情報に登録する必要性は低いため，対応する出力内容が登録されていない前記選択操作キーと当該テレビジョン受像機に接続中の前記映像出力装置とを対応付けて登録した後，対応する出力内容が設定されていない前記選択操作キーが存在する場合に，該選択操作キーと当該テレビジョン受像機に過去に接続された前記映像出力装置とを対応づけて登録することが望ましい。これにより，当該テレビジョン受像機に接続中の前記映像出力装置を優先的に前記第二の選択対応情報に登録することができる。
【発明の効果】
【０００７】
本発明によれば，前記切換キーを操作することにより表示される前記第二の選択対応情報を参照し，所望の前記映像出力装置に対応する前記選択操作キーを操作することにより，その所望の映像出力装置を容易に選択することが可能である。したがって，前記テレビジョン受像機に接続された複数の映像出力装置の選択にかかる操作回数が低減される。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像機Ｘの概略構成を示すブロック図，図２は前記テレビジョン受像機Ｘが有するリモコン７の模式図，図３は選択対応情報の一例を説明するための図，図４は前記テレビジョン受像機ＸにおいてＭＰＵ１１ａにより実行されるお好み登録・操作処理の手順の一例を説明するためのフローチャート，図５は前記テレビジョン受像機ＸにおいてＭＰＵ１１ａにより実行されるお好み登録・操作処理を説明するための図である。
まず，図１を用いて，本発明の実施の形態に係るテレビジョン受像機Ｘの概略構成について説明する。
図１に示すように，テレビジョン受像機Ｘは，テレビチューナ１（テレビジョン放送受信手段の一例）と，外部入力インターフェース（Ｉ／Ｆ）２ａと，ＩＥＥＥ１３９４インターフェース（Ｉ／Ｆ）２ｂと，映像切替回路３と，映像処理回路４と，ＯＳＤ処理回路５と，モニタ画面６（映像出力手段の一例）と，リモコン７（遠隔操作手段の一例）と，リモコンインターフェース（Ｉ／Ｆ）８と，音声切替回路９と，音声出力装置１０と，制御回路１１とを備えて概略構成されている。なお，前記テレビジョン受像機Ｘは，図１に示す他に，通常のテレビジョン受像機が備える他の構成要素も備えるが，ここでは説明を省略する。
前記制御回路１１は，演算手段であるＭＰＵ１１ａ，そのＭＰＵ１１ａによって実行される制御プログラムが予め格納される記憶手段であるＲＯＭ１１ｂ（ＥＰＲＯＭ），前記ＭＰＵ１１ａが実行する処理において各種の情報が記憶される書き換え可能なＲＡＭ１１ｃ（ＥＥＰＲＯＭ）等を備え，当該テレビジョン受像機Ｘ全体を制御するものである。
【０００９】
前記テレビチューナ１は，複数のチャンネルを含むテレビジョン放送を受信するものであって，該テレビジョン放送から，前記制御回路１１により指示されるチャンネルの信号を抽出（選局）するとともに，その抽出された信号の検波によって映像信号及び音声信号を取り出し，その映像信号及び音声信号の各々を前記映像切替回路３及び前記音声切替回路９各々へ伝送するものである。なお，前記テレビジョン放送は，例えば地上波アナログテレビジョン放送，地上波デジタルテレビジョン放送，衛生（ＢＳ）テレビジョン放送などである。
【００１０】
前記外部入力Ｉ／Ｆ２ａは，該外部入力Ｉ／Ｆ２ａに設けられた外部入力端子に接続されたＤ−ＶＨＳ機器２１（映像出力装置の一例，以下「Ｄ−ＶＨＳ２１」という）から，コンポジット方式やセパレート方式で映像信号及び音声信号を入力し，その映像信号及び音声信号を前記映像切替回路３及び前記音声切替回路９各々へ伝送するインターフェースである。
【００１１】
一方，前記ＩＥＥＥ１３９４Ｉ／Ｆ２ｂは，ＩＥＥＥ１３９４規格に準拠したインターフェースであって，前記ＩＥＥＥ１３９４Ｉ／Ｆ２ｂに設けられた接続端子にデイジーチェーン方式で直列に順に接続されたＩＥＥＥ１３９４対応のハードディスクレコーダー２２（映像出力装置の一例，以下「ＨＤＤ２２」という）やＤＶＤレコーダー２３（映像出力装置の一例，以下「ＤＶＤ２３」という）から映像信号及び音声信号を入力し，その映像信号及び音声信号を前記映像切替回路３及び前記音声切替回路９各々へ伝送する。ここに，前記外部入力Ｉ／Ｆ２ａ及び前記ＩＥＥＥ１３９４Ｉ／Ｆ２ｂが外部映像入力手段の一例である。
また，前記ＩＥＥＥ１３９４Ｉ／Ｆ２ｂは，前記接続端子に映像出力装置が接続されると，その映像出力装置から該映像出力装置を識別するための識別情報を取得し，前記制御回路１１のＲＡＭ１１ｃに伝送して該ＲＡＭ１１ｃに記憶する。ここに，前記識別情報を取得するときの前記ＩＥＥＥ１３９４Ｉ／Ｆ２ｂが識別情報取得手段に相当する。前記識別情報は，例えば前記映像出力装置のカテゴリーや型番，メーカー，シリアル番号などである。本実施の形態では，前記ＩＥＥＥ１３９４Ｉ／Ｆ２ｂに前記ＨＤＤ２２及び前記ＤＶＤ２３が接続されているため，該ＩＥＥＥ１３９４Ｉ／Ｆ２ｂによって前記ＨＤＤ２２及び前記ＤＶＤ２３の識別情報が取得されて，前記ＲＡＭ１１ｃに記憶される。
なお，前記制御回路１１のＲＡＭ１１ｃに一度記憶された映像出力装置の識別情報は，該映像出力装置が取り外された後も継続して該ＲＡＭ１１ｃに記憶されている。具体的には，前記テレビジョン受像機Ｘの前記ＩＥＥＥ１３９４Ｉ／Ｆ２ｂには，過去に，地上波デジタルテレビジョン放送を受信するためのデジタルテレビチューナー（Ｄ−Ｔｕｎｅｒ）２４が接続されていたため，そのＤ−Ｔｕｎｅｒ２４が取り外された後も該Ｄ−Ｔｕｎｅｒ２４の識別情報が前記ＲＡＭ１１ｃに記憶されている。
【００１２】
前記映像切替回路３は，前記テレビチューナ１や前記外部入力Ｉ／Ｆ２ａ，前記ＩＥＥＥ１３９４Ｉ／Ｆ２ｂから入力された映像信号のうち，任意の１つの映像信号を前記制御回路１１からの指示に従って選択して前記映像処理回路４へ出力するものである。
前記映像処理回路４は，前記映像切替回路３から出力された映像信号に対して各種信号処理を行うものである。例えば，映像信号から水平及び垂直同期信号の分離，その同期信号に位相同期したクロック信号の生成，映像信号からの輝度信号及び色信号の分離，所定の画質改善処理等を行い，処理後の映像信号を前記ＯＳＤ処理回路５に出力する。
前記ＯＳＤ処理回路５は，前記映像処理回路４から出力された映像信号を前記モニタ画面６に出力することにより，前記映像処理回路４による処理後の映像信号をそのまま前記モニタ画面６に表示させるか，その映像信号に前記制御回路１１から指示された映像をスーパーインポーズにより重ねた（合成した）映像信号（以下，ＯＳＤ映像信号という）を生成し，そのＯＳＤ映像信号を前記モニタ画面６に出力して表示させるかを切り換えるものである。
前記モニタ画面６は，例えば，液晶パネル及びその周辺機器等からなる表示手段であり，前記ＯＳＤ処理回路５から出力される映像信号或いはＯＳＤ映像信号に基づいて各種の映像を表示（出力）するものである。
【００１３】
前記音声切替回路９は，前記テレビチューナ１や前記外部入力Ｉ／Ｆ２ａ，前記ＩＥＥＥ１３９４Ｉ／Ｆ２ｂからの音声信号が入力され，それらの音声信号のうちの任意の１つの音声信号を，前記制御回路１１からの指示に従って前記音声出力装置１０に出力するものである。
前記音声出力装置１０は，前記音声切替回路９から入力された音声信号に基づいて音声を出力するものであってスピーカーなどを有している。
【００１４】
ここで，図２を用いて，前記リモコン７について説明する。
前記リモコン７は，前記テレビジョン受像機Ｘを遠隔で操作するリモート操作器である。図２に示すように，前記リモコン７には，当該テレビジョン受像機Ｘの電源のＯＮ／ＯＦＦを行うための電源キー７１や，前記モニタ画面６に表示させるテレビジョン放送のチャンネルを選択するための複数のチャンネル選択キー７２（選択操作キーの一例），各種の設定操作や選択操作などに用いられる操作キー７３，後述するお好み登録・操作処理（図４のフローチャート参照）で用いられるお好みキー７４（切換キーの一例）及び自動登録キー７５などが設けられている。なお，前記リモコン７には，図２に示す各種のキーの他に，一般的なテレビジョン受像機のリモコンに設けられる音量調整キー等が設けられているが，ここではその説明を省略する。
前記リモコン７は，各種のキー操作に応じてそのキーに対応する入力操作信号を赤外線伝送等の無線伝送によって前記リモコンＩ／Ｆ８に送信する。
【００１５】
前記リモコンＩ／Ｆ８は，前記リモコン７から送信された前記入力操作情報を取得し，その入力操作情報を前記制御回路１１に出力するものである。そして，前記テレビジョン受像機Ｘでは，前記入力操作情報に対応する各種の処理が前記ＭＰＵ１１ａによって実行される。
具体的に，前記ＭＰＵ１１ａは，前記リモコン７において前記チャンネル選択キー７２が押下され，該チャンネル選択キー７２に対応する入力操作情報が前記リモコンＩ／Ｆ８に入力されると，該リモコンＩ／Ｆ８から伝送される前記入力操作情報に基づいて，前記モニタ画面６に表示（出力）させる表示内容（出力内容）を選択する。このとき，前記表示内容は，予め前記ＲＡＭ１１ｃに記憶された後述の選択対応情報３１，３２に基づいて決定される。
【００１６】
ここで，図３を用いて，前記ＲＡＭ１１ｃに記憶された前記選択対応情報３１，３２について説明する。
図３（ａ），（ｂ）に示すように，前記ＲＡＭ１１ｃには，前記チャンネル選択キー７２と前記モニタ画面６に表示させる表示内容とが対応付けられた二つの異なる選択対応情報３１（第一の選択対応情報の一例），選択対応情報３２（第二の選択対応情報の一例）が記憶されている。即ち，前記ＲＡＭ１１ｃが選択対応情報記憶手段の一例である。
例えば，前記選択対応情報３１では，図３（ａ）に示すように前記チャンネル選択キー７２ａとテレビジョン放送のチャンネル１（１ＣＨ）とが対応付けられているのに対し，前記選択対応情報３２では，図３（ｂ）に示すように，前記チャンネル選択キー７２ａとテレビジョン放送のチャンネル２（２ＣＨ）とが対応付けられている。
前記選択対応情報３１は，前記テレビジョン受像機Ｘの初期設定におけるチャンネル設定などで設定され，前記選択対応情報３２は，前記ＭＰＵ１１ａによって実行される後述のお好み登録・操作処理（図４のフローチャート参照）において設定される。ここに，かかる設定処理を実行するときの前記ＭＰＵ１１ａが選択対応情報設定手段に相当する。
【００１７】
このように構成された前記テレビジョン受像機Ｘでは，前記リモコン７に設けられた前記お好みキー７４が押下されることにより，前記制御回路１１で用いられる選択対応情報が前記選択対応情報３１及び前記選択対応情報３２のいずれか一方に切り換えられる。
以下，図５を参照しつつ，図４のフローチャートに従って，前記テレビジョン受像機Ｘにおいて前記ＭＰＵ１１ａによって実行されるお好み登録・操作処理の手順の一例について説明する。なお，図中のＳ１，Ｓ２，…は処理手順（ステップ）の番号を表している。
まず，ステップＳ１では，前記リモコン７のお好みキー７４が押下されたか否かが前記ＭＰＵ１１ａによって判断される。具体的には，前記リモコン７のお好みキー７４が押下されることにより前記リモコンＩ／Ｆ８に該お好みキー７４に対応する入力操作情報が入力されたか否かが判断される。
【００１８】
ここで，前記お好みキー７４が押下されていないと判断されていない場合（Ｓ１のＮｏ側）には，処理はステップＳ１１に移行する。この場合，前記リモコン７のチャンネル選択キー７２が操作されると（Ｓ１１のＹｅｓ側），その操作されたチャンネル選択キー７２と前記選択対応情報３１とに基づいて前記モニタ画面６に表示させる表示内容が選択される（Ｓ１２）。例えば，前記リモコン７のチャンネル選択キー７２ａが押下されると，前記選択対応情報３１（図３（ａ）参照）に基づいて，前記チャンネル選択キー７２ａに対応するテレビジョン放送のチャンネル１（１ＣＨ）が選択されて前記モニタ画面６に出力される。なお，前記リモコン７のチャンネル選択キー７２が操作されない場合には（Ｓ１１のＮｏ側），処理は前記ステップＳ１に戻る。
【００１９】
一方，前記ステップＳ１において，前記お好みキー７４が押下されたと判断されると（Ｓ１のＹｅｓ側），処理はステップＳ２に移行する。
ステップＳ２では，前記ＭＰＵ１１ａによって，前記ＲＡＭ１１ｃに記憶された前記選択対応情報３２が前記モニタ画面６に出力されることにより，図５（ａ）に示すように，前記選択対応情報３２が前記モニタ画面６に表示される。ここに，前記選択対応情報３２の表示処理を実行するときの前記ＭＰＵ１１ａが選択対応情報表示手段に相当する。ユーザはこの表示によって前記選択対応情報３２の内容を容易に知得することができる。このとき，前記モニタ画面６では，図５（ａ）に示すように，前記リモコン７の操作キー７３に設けられた決定キー７３ａ或いは前記チャンネル操作キー７２の操作を促すための表示が行われる。
【００２０】
次に，ステップＳ３では，前記決定キー７３ａが押下されたか否かが前記ＭＰＵ１１ａによって判断される。具体的には，前記リモコン７の決定キー７３ａが押下されることにより前記リモコンＩ／Ｆ８に該決定キー７３ａに対応する入力操作情報が入力されたか否かが判断される。
ここで，前記決定キー７３ａが押下されたと判断された場合には（Ｓ３のＹｅｓ側），処理はステップＳ４に移行し，押下されていないと判断された場合には（Ｓ３のＮｏ側），処理はステップＳ３１に移行する。
【００２１】
まず，前記決定キー７３ａが押下されていないと判断された場合（Ｓ３のＮｏ側）について説明する。
この場合，前記リモコン７のチャンネル選択キー７２が操作されると（Ｓ３１のＹｅｓ側），その操作されたチャンネル選択キー７２と前記選択対応情報３２とに基づいて前記モニタ画面６に表示させる表示内容が，前記ＭＰＵ１１ａによって選択される（Ｓ３２）。例えば，前記リモコン７のチャンネル選択キー７２ａが押下されると，前記選択対応情報３２（図３（ｂ）参照）に基づいて，前記チャンネル選択キー７２ａに対応するテレビジョン放送のチャンネル２（２ＣＨ）が選択されて前記モニタ画面６に出力される。なお，前記リモコン７のチャンネル選択キー７２が操作されない場合には（Ｓ３１のＮｏ側），処理は前記ステップＳ３に戻る。
即ち，前記テレビジョン受像機Ｘでは，前記お好みキー７４が操作されると，前記ＭＰＵ１１ａは，前記チャンネル選択キー７２が操作されたときに参照する選択対応情報を，前記ＲＡＭ１１ｃに記憶された前記選択対応情報３１及び前記選択対応情報３２のいずれか一方に切り換える。ここに，前記リモコン７において操作された前記チャンネル選択キー７２と前記ＲＡＭ１１ｃに記憶された前記選択対応情報３１又は前記選択対応情報３２に基づいて前記モニタ画面６に表示力させる表示内容の選択処理（Ｓ１２，Ｓ３２）を実行するときの前記ＭＰＵ１１ａが選択処理手段に相当する。
【００２２】
以下，前記ステップＳ３において，前記決定キー７３ａが押下されたと判断された場合（Ｓ３のＹｅｓ側）について説明する。
この場合には，続くステップＳ４において，前記ＭＰＵ１１ａによって，前記ＲＡＭ１１ｃに記憶された前記選択対応情報３２と共に，前記チャンネル選択キー７２及び前記自動登録キー７５のいずれかの操作を促すための表示が前記モニタ画面６に出力されて表示される（図５（ｂ）参照）。
そして，続くステップＳ５では，前記チャンネル選択キー７２が選択されたか否かが前記ＭＰＵ１１ａによって判断される。具体的には，前記リモコン７のチャンネル選択キー７２が押下されることにより前記リモコンＩ／Ｆ８に該チャンネル選択キー７２に対応する入力操作情報が入力されたか否かが判断される。
ここで，前記チャンネル選択キー７２が押下されたと判断された場合（Ｓ５のＹｅｓ側）には，処理はステップＳ６に移行し，前記チャンネル選択キー７２が押下されていないと判断されている場合（Ｓ５のＮｏ側）には，処理はステップＳ５１に移行する。
【００２３】
まず，前記ステップＳ５において，前記チャンネル選択キー７２が押下されたと判断された場合（Ｓ５のＹｅｓ側）について説明する。
この場合，続くステップＳ６１において，前記モニタ画面６に表示する表示内容として前記テレビチューナ１が選択されているか否かが前記ＭＰＵ１１ａによって判断される。
ここで，前記テレビチューナ１が選択されていると判断された場合（Ｓ６のＹｅｓ側）には，処理はステップＳ６１に移行する。前記ステップＳ６１では，前記ＭＰＵ１１ａによって，前記テレビチューナ１から前記モニタ画面６に表示されている表示内容，即ち前記テレビジョン放送のいずれかのチャンネルが，前記ステップＳ５で押下されたチャンネル選択キー７２に対応する表示内容として前記選択対応情報３２に登録される。例えば，前記モニタ画面６にテレビジョン放送のチャンネル２が表示されている場合に，前記ステップＳ５において前記チャンネル選択キー７２ａが押下されると，該チャンネル選択キー７２ａに対応する表示内容が，テレビジョン放送のチャンネル２（２ＣＨ）に登録される。
【００２４】
一方，前記テレビチューナ１が選択されていないと判断された場合（Ｓ６のＮｏ側）には，処理はステップＳ７に移行する。前記ステップＳ７では，前記モニタ画面６に表示する表示内容として前記外部入力Ｉ／Ｆ２ａが選択されているか否かが前記ＭＰＵ１１ａによって判断される。
ここで，前記外部入力Ｉ／Ｆ２ａが選択されていると判断された場合（Ｓ７のＹｅｓ側）には，処理はステップＳ７１に移行する。前記ステップＳ７１では，前記ＭＰＵ１１ａによって，前記モニタ画面６に表示されている表示内容，即ち前記外部入力Ｉ／Ｆ２ａが，前記ステップＳ５で押下されたチャンネル選択キー７２に対応する表示内容として前記選択対応情報３２に登録される。例えば，前記モニタ画面６に前記外部入力Ｉ／Ｆ２ａから入力される映像が表示されている場合に，前記ステップＳ５において前記チャンネル選択キー７２ｂが押下されると，該チャンネル選択キー７２ｂに対応する表示内容として前記外部入力Ｉ／Ｆ２ａが登録される（図５（ｃ）参照）。
【００２５】
さらに，前記ステップＳ７において，前記外部入力Ｉ／Ｆ２ａが選択されていないと判断された場合（Ｓ７のＮｏ側）には，処理はステップＳ８に移行する。前記ステップＳ８では，前記モニタ画面６に表示する表示内容として前記ＩＥＥＥ１３９４Ｉ／Ｆ２ｂが選択されているか否かが前記ＭＰＵ１１ａによって判断される。
ここで，前記ＩＥＥＥ１３９４Ｉ／Ｆ２ｂが選択されていると判断された場合（Ｓ８のＹｅｓ側）には，処理はステップＳ８１に移行する。前記ステップＳ８１では，前記ＭＰＵ１１ａによって，前記モニタ画面６に表示されている表示内容，即ち前記ＩＥＥＥ１３９４Ｉ／Ｆ２ｂに接続された映像出力装置が，前記ステップＳ５で押下されたチャンネル選択キー７２に対応する表示内容として前記選択対応情報３２に登録される。例えば，前記モニタ画面６に前記ＩＥＥＥ１３９４Ｉ／Ｆ２ｂに接続された前記ＨＤＤ２２から入力される映像が表示されている場合に，前記ステップＳ５において前記チャンネル選択キー７２ｃが押下されると，該チャンネル選択キー７２ｃに対応する表示内容として前記ＨＤＤ２２が登録される（図５（ｄ）参照）。
このとき，前記ＩＥＥＥ１３９４Ｉ／Ｆ２ｂでは，前記ＨＤＤ２２や前記ＤＶＤ２３などの映像出力装置の識別情報を取得することが可能であるため，前記ステップＳ８１では，前記ＭＰＵ１１ａによって，前記映像出力装置と共に前記ＩＥＥＥ１３９４Ｉ／Ｆ２ｂによって取得された前記映像出力装置の識別情報が前記選択対応情報３２に登録される。
なお，前記ステップＳ８において，前記ＩＥＥＥ１３９４Ｉ／Ｆ２ｂが選択されていないと判断された場合（Ｓ８のＮｏ側）には，処理はステップＳ１に戻る。
【００２６】
次に，前記ステップＳ５において，前記チャンネル選択キー７２が押下されていないと判断された場合（Ｓ５のＮｏ側）について説明する。
この場合，続くステップＳ５１において，前記自動登録キー７５が押下されたか否かが前記ＭＰＵ１１ａによって判断される。具体的には，前記リモコン７の自動登録キー７５が押下されることにより前記リモコンＩ／Ｆ８に該自動登録キー７５に対応する入力操作情報が入力されたか否かが判断される。
ここで，前記自動登録キー７５が押下されたと判断された場合（Ｓ５１のＹｅｓ側）には，処理はステップＳ５２に移行し，前記自動登録キー７５が押下されていないと判断された場合（Ｓ５１のＮｏ側）には，処理はステップＳ５に戻る。
【００２７】
ステップＳ５２以降では，前記ＭＰＵ１１ａによって，当該テレビジョン受像機Ｘに接続中或いは過去に接続された映像出力装置と前記チャンネル選択キー７２とを自動的に対応付けて，前記ＲＡＭ１１ｃに記憶された前記選択対応情報３２に登録するための処理が実行される。ここに，かかる自動登録処理を実行するときの前記ＭＰＵ１１ａが自動登録手段に相当する。
まず，前記ステップＳ５２では，前記選択対応情報３２において，対応する表示内容が登録されていない前記チャンネル選択キー７２が存在するか否かが前記ＭＰＵ１１ａによって判断される。
ここで，前記選択対応情報３２において，対応する表示内容が登録されていない前記チャンネル選択キー７２が存在すると判断されていない場合（Ｓ５２のＮｏ側）には，処理は前記ステップＳ５に戻るが，存在すると判断された場合（Ｓ５２のＹｅｓ側）には，処理はステップＳ５３に移行する。本実施の形態では，図５（ｂ）に示すように，チャンネル選択キー７２ｂ〜７２ｅの表示内容が未登録であるため，処理は前記ステップｓ５３に移行する。
【００２８】
ステップＳ５３では，前記外部入力Ｉ／Ｆ２ａや前記ＩＥＥＥ１３９４Ｉ／Ｆ２ｂに映像出力装置が接続中であるか否かが前記ＭＰＵ１１ａによって判断される。
ここで，前記外部入力Ｉ／Ｆ２ａや前記ＩＥＥＥ１３９４Ｉ／Ｆ２ｂに映像出力装置が接続中であると判断された場合（Ｓ５３のＹｅｓ側）には処理はステップＳ５４に移行し，接続中ではないと判断された場合（Ｓ５３のＮｏ側）には処理はステップＳ５６に移行する。本実施の形態では，前記外部入力Ｉ／Ｆ２ａにＤ−ＶＨＳ２１が，前記ＩＥＥＥ１３９４Ｉ／Ｆ２ｂにＨＤＤ２２，ＤＶＤ２３が接続中であるため，処理はステップＳ５４に移行する。
【００２９】
前記ステップＳ５４では，前記ＭＰＵ１１ａによって，前記外部入力Ｉ／Ｆ２ａ，前記ＨＤＤ２２及び前記ＤＶＤ２３が，前記選択対応情報３２において対応する表示内容が登録されていない前記チャンネル選択キー７２に自動的に登録される。
具体的には，図５（ｅ）に示すように，前記選択対応情報３２における前記チャンネル選択キー７２ｂに対応する表示内容として前記外部入力Ｉ／Ｆ２ａ，前記チャンネル選択キー７２ｃに対応する表示内容として前記ＨＤＤ２２，前記チャンネル選択キー７２ｄに対応する表示内容として前記ＤＶＤ２３が各々登録される。このとき，前述したように，前記ＩＥＥＥ１３９４Ｉ／Ｆ２ｂでは，前記ＨＤＤ２２，前記ＤＶＤ２３の識別情報を取得することができるため，その識別情報も前記選択対応情報３２に登録される。
【００３０】
その後，前記ステップＳ５４において当該テレビジョン受像機Ｘに接続中の映像出力装置の前記選択対応情報３２への登録が終了すると，続くステップＳ５５では，再度，前記選択対応情報３２において，対応する表示内容が登録されていない前記チャンネル選択キー７２が存在するか否かが前記ＭＰＵ１１ａによって判断される。
ここで，前記選択対応情報３２において，対応する表示内容が登録されていない前記チャンネル選択キー７２が存在しないと判断された場合（Ｓ５４のＮｏ側）には，処理は前記ステップＳ５に戻るが，存在すると判断された場合（Ｓ５４のＹｅｓ側）には，処理はステップＳ５６に移行する。ここでは，図５（ｅ）に示すように，表示内容が未登録のチャンネル選択キー７２ｅが存在するため，処理はステップＳ５６に移行する。
【００３１】
次に，ステップＳ５６では，当該テレビジョン受像機Ｘに過去に接続された映像出力装置が存在するか否かが前記ＭＰＵ１１ａによって判断される。
ここで，前記過去に接続された映像出力装置が存在すると判断された場合（Ｓ５６のＹｅｓ側）には処理はステップＳ５７に移行し，存在しないと判断された場合（Ｓ５６のＮｏ側）には処理はステップＳ５に戻る。本実施の形態では，当該テレビジョン受像機Ｘの前記ＩＥＥＥ１３９４Ｉ／Ｆ２ｂに前記Ｄ−Ｔｕｎｅｒ２４が過去に接続されていたため，処理はステップＳ５７に移行する。
【００３２】
前記ステップＳ５７では，前記ＭＰＵ１１ａによって，過去に接続されたことのある前記Ｄ−Ｔｕｎｅｒ２４が，前記選択対応情報３２において対応する表示内容が登録されていない前記チャンネル選択キー７２に自動的に登録され，処理はステップＳ１に戻る。
具体的には，図５（ｆ）に示すように，前記選択対応情報３２における前記チャンネル選択キー７２ｅに対応する表示内容として前記Ｄ−Ｔｕｎｅｒ２４が登録される。このとき，前述したように，前記ＩＥＥＥ１３９４Ｉ／Ｆ２ｂで過去に取得された前記Ｄ−Ｔｕｎｅｒ２４の識別情報は，前記ＲＡＭ１１ｃに記憶保持されているための，該識別情報が前記ＲＡＭ１１ｃから読み出されて前記選択対応情報３２に登録される。
【００３３】
以上説明したように，前記お好み登録・操作処理（図４のフローチャート参照）において，前記外部入力Ｉ／Ｆ２ａや前記ＨＤＤ２２，前記ＤＶＤ２３，前記Ｄ−Ｔｕｎｅｒ２４と前記チャンネル選択キー７２とが対応付けられて前記ＲＡＭ１１ｃの選択対応情報３２（第二の選択対応情報に相当）に登録されると，その後，前記テレビジョン受像機Ｘでは，前記お好みキー７４が押下されると，図５（ｇ）に示すように，前記外部入力Ｉ／Ｆ２ａや前記ＨＤＤ２２，前記ＤＶＤ２３，前記Ｄ−Ｔｕｎｅｒ２４が前記チャンネル選択キー７２に割り当てられた前記選択対応情報３２が，前記モニタ画面６に表示される。このとき，前記ＩＥＥＥ１３９４Ｉ／Ｆに接続中或いは過去に接続された前記ＨＤＤ２２，前記ＤＶＤ２３，前記Ｄ−Ｔｕｎｅｒ２４については識別情報が共に記憶されているため，図５（ｇ）に示すように，例えば前記識別情報の一部である型番（ＢＢ，ＣＣ，ＤＤ）を含む前記選択対応情報３２を表示させることが望ましい。
そして，ユーザは，前記モニタ画面６の表示を参照して，所望のチャンネル或いは映像出力装置に対応する前記チャンネル選択キー７２を操作することにより，該所望のチャンネル或いは映像出力装置の映像を前記モニタ画面６に表示させることができる。このように，前記テレビジョン受像機Ｘでは，複数の映像出力装置のいずれかを選択する際に，従来装置のように入力切換キーを何度も操作する必要がなく操作性を向上させることができる。
【００３４】
また，ユーザが前記モニタ画面６の表示を参照して，所望のチャンネル或いは映像出力装置に対応する前記チャンネル選択キー７２を操作することにより，前記モニタ画面６の表示内容が切り換えられた際には，前記操作された前記チャンネル選択キー７２に対応する表示内容の詳細情報として，前記ＨＤＤ２２や前記ＤＶＤ２３，前記Ｄ−Ｔｕｎｅｒ２４などの識別情報が，前記モニタ画面６の右上端部などに一時的に表示されるように前記ＭＰＵ１１ａによって制御される。例えば，前記ＨＤＤ２２が選択された場合には，図５（ｈ）に示すように，該ＨＤＤ２２の識別情報としてカテゴリー，型番，メーカー，ＳＥＲＩＡＬ番号などが表示される。このように，前記識別情報を含む前記選択対応情報３２を表示するための処理を実行するときの前記ＭＰＵ１１ａも選択対応情報表示手段の一例である。
【図面の簡単な説明】
【００３５】
【図１】本発明の実施の形態に係るテレビジョン受像機の概略構成を示すブロック図。
【図２】本発明の実施の形態に係るテレビジョン受像機が有するリモコンの模式図。
【図３】選択対応情報の一例を説明するための図。
【図４】本発明の実施の形態に係るテレビジョン受像機において実行されるお好み登録・操作処理の手順の一例を説明するためのフローチャート。
【図５】本発明の実施の形態に係るテレビジョン受像機において実行されるお好み登録・操作処理を説明するための図。
【符号の説明】
【００３６】
１…テレビチューナ
２ａ…外部入力インターフェース（外部映像入力手段の一例）
２ｂ…ＩＥＥＥ１３９４インターフェース（外部映像入力手段の一例）
３…映像切替回路
４…映像処理回路
５…ＯＳＤ処理回路
６…モニタ画面（映像出力手段の一例）
７…リモコン（遠隔操作手段の一例）
８…リモコンインターフェース
９…音声切替回路
１０…音声出力装置
１１…制御回路
１１ａ…ＭＰＵ
１１ｂ…ＲＯＭ
１１ｃ…ＲＡＭ（選択対応情報記憶手段の一例）
２１…Ｄ−ＶＨＳ（映像出力装置の一例）
２２…ＨＤＤ（映像出力装置の一例）
２３…ＤＶＤ（映像出力装置の一例）
２４…Ｄ−Ｔｕｎｅｒ（映像出力装置の一例）
３１…選択対応情報（第一の選択対応情報の一例）
３２…選択対応情報（第二の選択対応情報の一例）
７１…電源キー
７２…チャンネル選択キー（選択操作キーの一例）
７３…操作キー
７４…お好みキー（切換キーの一例）
７５…自動登録キー
【図１】
2007300584.tif 000003
【図２】
2007300584.tif 000004
【図３】
2007300584.tif 000005
【図４】
2007300584.tif 000006
【図５】
2007300584.tif 000007